(57)【要約】【課題】  立体物の形状に応じた型紙を仮想的に作成することができる仮想型紙作成装置、仮想型紙作成方法、仮想型紙作成プログラム及び仮想型紙作成プログラムを記録したコンピュータ読み取り可能な記録媒体を提供する。【解決手段】  立体物の形状に応じた型紙を仮想的に作成する仮想型紙作成装置は、３次元データ記憶部２０１に記憶されている立体物の３次元データを取得する３次元データ取得部１０１と、３次元データ取得部１０１によって取得された立体物の凹凸を特徴付ける特徴点を結ぶ線を展開線として立体物を展開して２次元の展開画像を作成する展開画像作成部１０２と、展開画像作成部１０２によって作成された２次元の展開画像を拡大する展開画像拡大部１０４と、展開画像拡大部１０４によって拡大された２次元の展開画像と型紙データ記憶部２０２に記憶されている既存の型紙とを合成する合成部１０６とを備える。【選択図】      図２
2005154956.tif 000002
【特許請求の範囲】
【請求項１】
立体物の形状に応じた型紙を仮想的に作成する仮想型紙作成装置であって、
前記立体物の３次元データを取得する取得手段と、
前記取得手段によって取得された前記立体物の凹凸を特徴付ける特徴点を結ぶ線を展開線として前記立体物を展開して２次元の展開画像を作成する展開画像作成手段と、
前記展開画像作成手段によって作成された２次元の展開画像と既存の型紙とを合成する合成手段とを備えることを特徴とする仮想型紙作成装置。
【請求項２】
前記展開画像作成手段によって作成された２次元の展開画像を拡大する拡大手段をさらに備え、
前記合成手段は、前記拡大手段によって拡大された２次元の展開画像と既存の型紙とを合成することを特徴とする請求項１記載の仮想型紙作成装置。
【請求項３】
前記型紙は、衣服を構成する型紙を含み、
前記立体物は、前記型紙から作成された衣服を着用する人体を含み、
前記展開画像作成手段は、前記人体の右半身及び左半身のうちのいずれか一方の展開画像を作成し、
前記拡大手段は、前記展開画像作成手段によって作成された展開画像を拡大し、
前記合成手段は、前記拡大手段によって拡大された展開画像と既存の型紙とを合成することを特徴とする請求項１又は２記載の仮想型紙作成装置。
【請求項４】
前記型紙は、衣服を構成する型紙を含み、
前記立体物は、前記型紙から作成された衣服を着用する人体を含み、
前記取得手段によって取得された前記人体の３次元データの右半身と左半身とを平均化して左右対称の人体の３次元データを作成する平均人体画像作成手段をさらに備え、
前記展開画像作成手段は、前記平均人体画像作成手段によって作成された人体の右半身及び左半身のうちのいずれか一方の展開画像を作成し、
前記拡大手段は、前記展開画像作成手段によって作成された展開画像を拡大し、
前記合成手段は、前記拡大手段によって拡大された展開画像と既存の型紙とを合成することを特徴とする請求項１又は２記載の仮想型紙作成装置。
【請求項５】
前記型紙は、衣服を構成する型紙を含み、
前記立体物は、前記型紙から作成された衣服を着用する人体を含み、
前記展開画像作成手段は、前記人体の右半身の展開画像と左半身の展開画像とを作成し、
前記展開画像作成手段によって作成された前記人体の右半身の展開画像における前記特徴点と左半身の展開画像における前記特徴点との中点を求め、求めた中点を結ぶことで左右の展開画像を平均した平均展開画像を作成する平均展開画像作成手段をさらに備え、
前記拡大手段は、前記平均展開画像作成手段によって作成された平均展開画像を拡大し、
前記合成手段は、前記拡大手段によって拡大された平均展開画像と既存の型紙とを合成することを特徴とする請求項１又は２記載の仮想型紙作成装置。
【請求項６】
前記拡大手段によって拡大された２次元の展開画像、前記拡大手段によって拡大された平均展開画像、又は前記平均展開画像作成手段によって作成された平均展開画像に対してダーツを施すダーツ処理手段をさらに備えることを特徴とする請求項３〜５のいずれかに記載の仮想型紙作成装置。
【請求項７】
前記展開画像作成手段は、前記人体の頸付根線から胸囲線までにおいて、前記人体の凹凸を特徴付ける特徴点を結ぶ線を展開線として前記人体を展開して２次元の展開画像を作成することを特徴とする請求項３〜５のいずれかに記載の仮想型紙作成装置。
【請求項８】
前記特徴点は、前首点、横首点、前記人体の肩部分の前面における突起した部分である前肩点、重心線とバストラインとの交点である腕下点、前中心線とバストラインとの交点である前中心点、乳頭の中心である乳頭点、前記人体の前面における腕の付け根近傍の腕付根点、前記横首点と前記腕付根点とを結ぶ線上で最も凹んだ部分である首腕間点、首腕間点と乳頭点とを結ぶ線上で最も凹んだ部分である胸部点、後首点、前記横首点と前記後首点とを結ぶ頸付根線上で最も突起した部分である首間点、後中心線とバストラインとの交点である後中心点、前記人体の肩部分の背面における突起した部分である後肩点、前記人体の肩甲骨の上端における突起した部分である肩上端点、前記肩上端点から肩甲骨に沿って降ろした線と前記バストラインとの交点である肩下点、及び前記肩上端点から肩甲骨に沿って降ろした線上の最も突起した部分である肩間点であり、
前記展開線は、前記前首点と横首点と首間点と後首点とを首の周りに沿って結ぶ頸付根線、前記前首点と前記前中心点とを結ぶ線、前記前中心点と前記後中心点とを結ぶバストライン、前記後首点と前記後中心点とを結ぶ線、前記前肩点と前記腕付根点と前記腕下点と前記後肩点とを腕の付け根周りに沿って結ぶ線、前記横首点と前肩点とを結ぶ線、前記横首点と前記首腕間点と前記腕付根点とを結ぶ線、前記首腕間点と前記乳頭点とを結ぶ線、前記腕付根点と前記乳頭点とを結ぶ線、前記首間点と前記肩上端点と前記後肩点とを結ぶ線、及び前記肩上端点と前記肩間点と前記肩下点とを結ぶ線であることを特徴とする請求項７記載の仮想型紙作成装置。
【請求項９】
前記展開画像作成手段は、前記人体の胴囲線から、前記人体の側面の大腿部分における最も突起した点を通る線までにおいて、前記人体の凹凸を特徴付ける特徴点を結ぶ線を展開線として前記人体を展開して２次元の展開画像を作成することを特徴とする請求項３〜５のいずれかに記載の仮想型紙作成装置。
【請求項１０】
前記特徴点は、前記人体の前面における最も突起した前突起点、前記人体の背面における最も突起した後突起点、及び前記人体の側面における最も突起した横突起点であり、
前記展開線は、前記前突起点を通り、前記人体の周りを通る第１の水平線、前記後突起点を通り、前記人体の周りを通る第２の水平線、前記横突起点を通り、前記人体の周りを通る第３の水平線、前記人体の胴囲線、前記人体の前中心線における前記胴囲線から前記第３の水平線までの前線、前記人体の後中心線における前記胴囲線から前記第３の水平線までの後線、前記人体の側面の中点を通る垂直線における前記胴囲線から前記第３の水平線までの横線、前記第１の水平線と前記第２の水平線と前記第３の水平線とを通り、前記垂直線における前記胴囲線から前記第１の水平線までの中点と、前記前線から前記横線までの突起した点とを結ぶ線、及び前記第１の水平線と前記第２の水平線と前記第３の水平線とを通り、前記垂直線における前記胴囲線から前記第１の水平線までの中点と、前記後線から前記横線までの突起した点とを結ぶ線であることを特徴とする請求項９記載の仮想型紙作成装置。
【請求項１１】
立体物の形状に応じた型紙を仮想的に作成する仮想型紙作成方法であって、
コンピュータが、前記立体物の３次元データを取得する取得ステップと、
コンピュータが、前記取得ステップにおいて取得された前記立体物の凹凸を特徴付ける特徴点を結ぶ線を展開線として前記立体物を展開して２次元の展開画像を作成する展開画像作成ステップと、
コンピュータが、前記展開画像作成ステップにおいて作成された２次元の展開画像と既存の型紙とを合成する合成ステップとを含むことを特徴とする仮想型紙作成方法。
【請求項１２】
立体物の形状に応じた型紙を仮想的に作成する仮想型紙作成プログラムであって、
前記立体物の３次元データを取得する取得手段と、
前記取得手段によって取得された前記立体物の凹凸を特徴付ける特徴点を結ぶ線を展開線として前記立体物を展開して２次元の展開画像を作成する展開画像作成手段と、
前記展開画像作成手段によって作成された２次元の展開画像と既存の型紙とを合成する合成手段としてコンピュータを機能させることを特徴とする仮想型紙作成プログラム。
【請求項１３】
立体物の形状に応じた型紙を仮想的に作成する仮想型紙作成プログラムを記録したコンピュータ読み取り可能な記録媒体であって、
前記立体物の３次元データを取得する取得手段と、
前記取得手段によって取得された前記立体物の凹凸を特徴付ける特徴点を結ぶ線を展開線として前記立体物を展開して２次元の展開画像を作成する展開画像作成手段と、
前記展開画像作成手段によって作成された２次元の展開画像と既存の型紙とを合成する合成手段としてコンピュータを機能させるための仮想型紙作成プログラムを記録したコンピュータ読み取り可能な記録媒体。
【発明の詳細な説明】
【技術分野】
【０００１】
本発明は、立体物の形状に応じた型紙を仮想的に作成する仮想型紙作成装置、仮想型紙作成方法、仮想型紙作成プログラム及び仮想型紙作成プログラムを記録したコンピュータ読み取り可能な記録媒体に関するものである。
【背景技術】
【０００２】
従来、人体の体型に合わせた衣服の型紙を作成する手法の１つであるグレーディング機能を有する型紙作成装置が知られている（例えば、特許文献１参照）。グレーディングでは、既存の型紙を拡大又は縮小することによって、体型に応じた型紙を作成する。
【０００３】
下記の表１は、成人女子が着用する既製衣料品のサイズの一例と被験者の実際に測定したサイズとを比較している。下記の表１に示すように、ＪＩＳ規格で９ＡＲと定められている既製衣料品のサイズは、身長（Ｔ）が１５８ｃｍでバスト（Ｂ）が８３ｃｍでウエスト（Ｗ）が６４ｃｍでヒップ（Ｈ）が９１ｃｍである。また、ＪＩＳ規格で１９ＹＲと定められている既製衣料品のサイズは、身長（Ｔ）が１５８ｃｍでバスト（Ｂ）が１００ｃｍでウエスト（Ｗ）が７６ｃｍでヒップ（Ｈ）が９７ｃｍである。これらの既製衣料品のサイズに対して被験者（Ｔｅｓｔｅｒ）の体のサイズが、身長１５８ｃｍ、バスト１００ｃｍ、ウエスト８０ｃｍ、ヒップ９７ｃｍであるとすると、この被験者が着用する衣服のサイズは１９ＹＲに分類される。そのため、被験者が９ＡＲの衣服を着用する場合、９ＡＲの衣服の型紙をグレーディングする必要がある。
【０００４】
【表１】
2005154956.tif 000003
【特許文献１】特開平７−１６６４０４号公報
【発明の開示】
【発明が解決しようとする課題】
【０００５】
しかしながら、体型は、年齢や環境によって変化するものであり、人それぞれ異なっている。したがって、上記従来の型紙作成装置でグレーディングした場合、単純に既存の型紙を拡大又は縮小しているため、必ずしも個人の体型に応じた衣服になるとは限らない。
【０００６】
例えば、表１の例において、被験者のバストサイズと９ＡＲのバストサイズとの差（ｄｉｆｆ．）は１７ｃｍであり、ヒップサイズの差は６ｃｍである。そのため、９ＡＲの衣服の型紙をマスターパターンとして被験者のバストサイズに合わせてグレーディングした場合、全体的に１７ｃｍ拡大されるのでヒップサイズが合わなくなってしまう。同様に、９ＡＲの衣服の型紙をマスターパターンとして被験者のヒップサイズに合わせてグレーディングした場合、全体的に６ｃｍ拡大されるのでバストサイズが合わなくなってしまう。
【０００７】
本発明は、上記の問題を解決するためになされたもので、立体物の形状に応じた型紙を仮想的に作成することができる仮想型紙作成装置、仮想型紙作成方法、仮想型紙作成プログラム及び仮想型紙作成プログラムを記録したコンピュータ読み取り可能な記録媒体を提供することを目的とするものである。
【課題を解決するための手段】
【０００８】
本発明に係る仮想型紙作成装置は、立体物の形状に応じた型紙を仮想的に作成する仮想型紙作成装置であって、前記立体物の３次元データを取得する取得手段と、前記取得手段によって取得された前記立体物の凹凸を特徴付ける特徴点を結ぶ線を展開線として前記立体物を展開して２次元の展開画像を作成する展開画像作成手段と、前記展開画像作成手段によって作成された２次元の展開画像と既存の型紙とを合成する合成手段とを備える。
【０００９】
この構成によれば、立体物の３次元データが取得され、取得された立体物の凹凸を特徴付ける特徴点を結ぶ線を展開線として立体物が展開されて２次元の展開画像が作成され、作成された２次元の展開画像と既存の型紙とが合成されるので、立体物の形状に応じた型紙を仮想的に作成することができる。
【００１０】
また、上記の仮想型紙作成装置において、前記展開画像作成手段によって作成された２次元の展開画像を拡大する拡大手段をさらに備え、前記合成手段は、前記拡大手段によって拡大された２次元の展開画像と既存の型紙とを合成することが好ましい。
【００１１】
この構成によれば、立体物の３次元データが取得され、取得された立体物の凹凸を特徴付ける特徴点を結ぶ線を展開線として立体物が展開されて２次元の展開画像が作成され、作成された２次元の展開画像が拡大され、拡大された２次元の展開画像と既存の型紙とが合成されるので、型紙から作成される立体物を覆う被覆物を立体物よりも大きくすることができる。
【００１２】
また、上記の仮想型紙作成装置において、前記型紙は、衣服を構成する型紙を含み、前記立体物は、前記型紙から作成された衣服を着用する人体を含み、前記展開画像作成手段は、前記人体の右半身及び左半身のうちのいずれか一方の展開画像を作成し、前記拡大手段は、前記展開画像作成手段によって作成された展開画像を拡大し、前記合成手段は、前記拡大手段によって拡大された展開画像と既存の型紙とを合成することが好ましい。
【００１３】
この構成によれば、型紙は、衣服を構成する型紙を含み、立体物は、型紙から作成された衣服を着用する人体を含み、人体の右半身及び左半身のうちのいずれか一方の展開画像が作成され、作成された展開画像が拡大され、拡大された展開画像と既存の型紙とが合成されるので、人体の形状に応じた型紙を仮想的に作成することができる。
【００１４】
また、上記の仮想型紙作成装置において、前記型紙は、衣服を構成する型紙を含み、前記立体物は、前記型紙から作成された衣服を着用する人体を含み、前記取得手段によって取得された前記人体の３次元データの右半身と左半身とを平均化して左右対称の人体の３次元データを作成する平均人体画像作成手段をさらに備え、前記展開画像作成手段は、前記平均人体画像作成手段によって作成された人体の右半身及び左半身のうちのいずれか一方の展開画像を作成し、前記拡大手段は、前記展開画像作成手段によって作成された展開画像を拡大し、前記合成手段は、前記拡大手段によって拡大された展開画像と既存の型紙とを合成することが好ましい。
【００１５】
この構成によれば、型紙は、衣服を構成する型紙を含み、立体物は、型紙から作成された衣服を着用する人体を含み、取得された人体の３次元データの右半身と左半身とを平均化して左右対称の人体の３次元データが作成され、作成された人体の右半身及び左半身のうちのいずれか一方の展開画像が作成され、作成された展開画像が拡大され、拡大された展開画像と既存の型紙とが合成されるので、人体の形状に応じた型紙を仮想的に作成することができる。また、人体の３次元データの右半身と左半身とを平均化して左右対称の人体の３次元データを基に２次元の展開画像が作成されるので、左右で体型が異なる人体の型紙をバランスよく作成することができる。
【００１６】
また、上記の仮想型紙作成装置において、前記型紙は、衣服を構成する型紙を含み、前記立体物は、前記型紙から作成された衣服を着用する人体を含み、前記展開画像作成手段は、前記人体の右半身の展開画像と左半身の展開画像とを作成し、前記展開画像作成手段によって作成された前記人体の右半身の展開画像における前記特徴点と左半身の展開画像における前記特徴点との中点を求め、求めた中点を結ぶことで左右の展開画像を平均した平均展開画像を作成する平均展開画像作成手段をさらに備え、前記拡大手段は、前記平均展開画像作成手段によって作成された平均展開画像を拡大し、前記合成手段は、前記拡大手段によって拡大された平均展開画像と既存の型紙とを合成することが好ましい。
【００１７】
この構成によれば、型紙は、衣服を構成する型紙を含み、立体物は、型紙から作成された衣服を着用する人体を含み、人体の右半身の展開画像と左半身の展開画像とが作成され、作成された人体の右半身の展開画像における特徴点と左半身の展開画像における特徴点との中点が求められ、求められた中点を結ぶことで左右の展開画像を平均した平均展開画像が作成され、作成された平均展開画像が拡大され、拡大された平均展開画像と既存の型紙とが合成される。
【００１８】
このように、左半身の展開画像と右半身の展開画像とを平均した平均展開画像が作成されるので、左右で体型が異なる人体の型紙をバランスよく作成することができる。
【００１９】
また、上記の仮想型紙作成装置において、前記拡大手段によって拡大された２次元の展開画像、前記拡大手段によって拡大された平均展開画像、又は前記平均展開画像作成手段によって作成された平均展開画像に対してダーツを施すダーツ処理手段をさらに備えることが好ましい。
【００２０】
この構成によれば、拡大された２次元の展開画像、拡大された平均展開画像、又は作成された平均展開画像に対してダーツが施されるので、より人体の体型に応じた型紙を作成することができる。
【００２１】
また、上記の仮想型紙作成装置において、前記展開画像作成手段は、前記人体の頸付根線から胸囲線までにおいて、前記人体の凹凸を特徴付ける特徴点を結ぶ線を展開線として前記人体を展開して２次元の展開画像を作成することが好ましい。
【００２２】
この構成によれば、人体の頸付根線から胸囲線までにおける人体の凹凸を特徴付ける特徴点を結ぶ線を展開線として人体が展開されて２次元の展開画像が作成される。したがって、人体の頸から胸にかけての凹凸に応じて人体が展開される展開画像を作成することができ、この展開画像を用いて型紙が作成されるので、より人体の体型に応じた型紙を作成することができる。
【００２３】
また、上記の仮想型紙作成装置において、前記特徴点は、前首点、横首点、前記人体の肩部分の前面における突起した部分である前肩点、重心線とバストラインとの交点である腕下点、前中心線とバストラインとの交点である前中心点、乳頭の中心である乳頭点、前記人体の前面における腕の付け根近傍の腕付根点、前記横首点と前記腕付根点とを結ぶ線上で最も凹んだ部分である首腕間点、首腕間点と乳頭点とを結ぶ線上で最も凹んだ部分である胸部点、後首点、前記横首点と前記後首点とを結ぶ頸付根線上で最も突起した部分である首間点、後中心線とバストラインとの交点である後中心点、前記人体の肩部分の背面における突起した部分である後肩点、前記人体の肩甲骨の上端における突起した部分である肩上端点、前記肩上端点から肩甲骨に沿って降ろした線と前記バストラインとの交点である肩下点、及び前記肩上端点から肩甲骨に沿って降ろした線上の最も突起した部分である肩間点であり、前記展開線は、前記前首点と横首点と首間点と後首点とを首の周りに沿って結ぶ頸付根線、前記前首点と前記前中心点とを結ぶ線、前記前中心点と前記後中心点とを結ぶバストライン、前記後首点と前記後中心点とを結ぶ線、前記前肩点と前記腕付根点と前記腕下点と前記後肩点とを腕の付け根周りに沿って結ぶ線、前記横首点と前肩点とを結ぶ線、前記横首点と前記首腕間点と前記腕付根点とを結ぶ線、前記首腕間点と前記乳頭点とを結ぶ線、前記腕付根点と前記乳頭点とを結ぶ線、前記首間点と前記肩上端点と前記後肩点とを結ぶ線、及び前記肩上端点と前記肩間点と前記肩下点とを結ぶ線であることが好ましい。
【００２４】
この構成によれば、人体の凹凸を特徴付ける特徴点は、前首点、横首点、人体の肩部分の前面における突起した部分である前肩点、重心線とバストラインとの交点である腕下点、前中心線とバストラインとの交点である前中心点、乳頭の中心である乳頭点、人体の前面における腕の付け根近傍の腕付根点、横首点と腕付根点とを結ぶ線上で最も凹んだ部分である首腕間点、首腕間点と乳頭点とを結ぶ線上で最も凹んだ部分である胸部点、後首点、横首点と後首点とを結ぶ頸付根線上で最も突起した部分である首間点、後中心線とバストラインとの交点である後中心点、人体の肩部分の背面における突起した部分である後肩点、人体の肩甲骨の上端における突起した部分である肩上端点、肩上端点から肩甲骨に沿って降ろした線とバストラインとの交点である肩下点、及び肩上端点から肩甲骨に沿って降ろした線上の最も突起した部分である肩間点であり、人体の凹凸を特徴付ける特徴点を結ぶ展開線は、前首点と横首点と首間点と後首点とを首の周りに沿って結ぶ頸付根線、前首点と前中心点とを結ぶ線、前中心点と後中心点とを結ぶバストライン、後首点と後中心点とを結ぶ線、前肩点と腕付根点と腕下点と後肩点とを腕の付け根周りに沿って結ぶ線、横首点と前肩点とを結ぶ線、横首点と首腕間点と腕付根点とを結ぶ線、首腕間点と乳頭点とを結ぶ線、腕付根点と乳頭点とを結ぶ線、首間点と肩上端点と後肩点とを結ぶ線、及び肩上端点と肩間点と肩下点とを結ぶ線である。
【００２５】
このように、人体の凹凸を特徴付ける特徴点及び人体の凹凸を特徴付ける特徴点を結ぶ展開線を上記のように設定することで、人体の肩形状、肩甲骨位置及び胸の形状に応じて正確に人体を展開した展開画像を作成することができ、この展開画像を用いて型紙が作成されるので、特に、人体の肩形状、肩甲骨位置及び胸の形状に起因するといわれている着心地をよくすることができる。
【００２６】
また、上記の仮想型紙作成装置において、前記展開画像作成手段は、前記人体の胴囲線から、前記人体の側面の大腿部分における最も突起した点を通る線までにおいて、前記人体の凹凸を特徴付ける特徴点を結ぶ線を展開線として前記人体を展開して２次元の展開画像を作成することが好ましい。
【００２７】
この構成によれば、人体の胴囲線から、人体の側面の大腿部分における最も突起した点を通る線までにおける人体の凹凸を特徴付ける特徴点を結ぶ線を展開線として人体が展開されて２次元の展開画像が作成される。したがって、人体の胴から大腿にかけての凹凸に応じて人体が展開される展開画像を作成することができ、この展開画像を用いて型紙が作成されるので、より人体の体型に応じた型紙を作成することができる。
【００２８】
また、上記の仮想型紙作成装置において、前記特徴点は、前記人体の前面における最も突起した前突起点、前記人体の背面における最も突起した後突起点、及び前記人体の側面における最も突起した横突起点であり、前記展開線は、前記前突起点を通り、前記人体の周りを通る第１の水平線、前記後突起点を通り、前記人体の周りを通る第２の水平線、前記横突起点を通り、前記人体の周りを通る第３の水平線、前記人体の胴囲線、前記人体の前中心線における前記胴囲線から前記第３の水平線までの前線、前記人体の後中心線における前記胴囲線から前記第３の水平線までの後線、前記人体の側面の中点を通る垂直線における前記胴囲線から前記第３の水平線までの横線、前記第１の水平線と前記第２の水平線と前記第３の水平線とを通り、前記垂直線における前記胴囲線から前記第１の水平線までの中点と、前記前線から前記横線までの突起した点とを結ぶ線、及び前記第１の水平線と前記第２の水平線と前記第３の水平線とを通り、前記垂直線における前記胴囲線から前記第１の水平線までの中点と、前記後線から前記横線までの突起した点とを結ぶ線であることが好ましい。
【００２９】
この構成によれば、人体の凹凸を特徴付ける特徴点は、人体の前面における最も突起した前突起点、人体の背面における最も突起した後突起点、及び人体の側面における最も突起した横突起点であり、人体の凹凸を特徴付ける特徴点を結ぶ展開線は、前突起点を通り、人体の周りを通る第１の水平線、後突起点を通り、人体の周りを通る第２の水平線、横突起点を通り、人体の周りを通る第３の水平線、人体の胴囲線、人体の前中心線における胴囲線から第３の水平線までの前線、人体の後中心線における胴囲線から第３の水平線までの後線、人体の側面の中点を通る垂直線における胴囲線から第３の水平線までの横線、第１の水平線と第２の水平線と第３の水平線とを通り、垂直線における胴囲線から第１の水平線までの中点と、前線から横線までの突起した点とを結ぶ線、及び第１の水平線と第２の水平線と第３の水平線とを通り、垂直線における胴囲線から第１の水平線までの中点と、後線から横線までの突起した点とを結ぶ線である。
【００３０】
このように、人体の凹凸を特徴付ける特徴点及び人体の凹凸を特徴付ける特徴点を結ぶ展開線を上記のように設定することで、人体の腹部、腰骨、大腿及び臀部の形状に応じて正確に人体を展開した展開画像を作成することができ、この展開画像を用いて型紙が作成されるので、特に、人体の腹部、腰骨、大腿及び臀部の形状に起因するといわれている着心地をよくすることができる。
【００３１】
本発明に係る仮想型紙作成方法は、立体物の形状に応じた型紙を仮想的に作成する仮想型紙作成方法であって、コンピュータが、前記立体物の３次元データを取得する取得ステップと、コンピュータが、前記取得ステップにおいて取得された前記立体物の凹凸を特徴付ける特徴点を結ぶ線を展開線として前記立体物を展開して２次元の展開画像を作成する展開画像作成ステップと、コンピュータが、前記展開画像作成ステップにおいて作成された２次元の展開画像と既存の型紙とを合成する合成ステップとを含む。
【００３２】
この構成によれば、立体物の３次元データが取得され、取得された立体物の凹凸を特徴付ける特徴点を結ぶ線を展開線として立体物が展開されて２次元の展開画像が作成され、作成された２次元の展開画像と既存の型紙とが合成されるので、立体物の形状に応じた型紙を仮想的に作成することができる。
【００３３】
本発明に係る仮想型紙作成プログラムは、立体物の形状に応じた型紙を仮想的に作成する仮想型紙作成プログラムであって、前記立体物の３次元データを取得する取得手段と、前記取得手段によって取得された前記立体物の凹凸を特徴付ける特徴点を結ぶ線を展開線として前記立体物を展開して２次元の展開画像を作成する展開画像作成手段と、前記展開画像作成手段によって作成された２次元の展開画像と既存の型紙とを合成する合成手段としてコンピュータを機能させる。
【００３４】
この構成によれば、立体物の３次元データが取得され、取得された立体物の凹凸を特徴付ける特徴点を結ぶ線を展開線として立体物が展開されて２次元の展開画像が作成され、作成された２次元の展開画像と既存の型紙とが合成されるので、立体物の形状に応じた型紙を仮想的に作成することができる。
【００３５】
本発明に係る仮想型紙作成プログラムを記録したコンピュータ読み取り可能な記録媒体は、立体物の形状に応じた型紙を仮想的に作成する仮想型紙作成プログラムを記録したコンピュータ読み取り可能な記録媒体であって、前記立体物の３次元データを取得する取得手段と、前記取得手段によって取得された前記立体物の凹凸を特徴付ける特徴点を結ぶ線を展開線として前記立体物を展開して２次元の展開画像を作成する展開画像作成手段と、前記展開画像作成手段によって作成された２次元の展開画像と既存の型紙とを合成する合成手段としてコンピュータを機能させるための仮想型紙作成プログラムを記録している。
【００３６】
この構成によれば、立体物の３次元データが取得され、取得された立体物の凹凸を特徴付ける特徴点を結ぶ線を展開線として立体物が展開されて２次元の展開画像が作成され、作成された２次元の展開画像と既存の型紙とが合成されるので、立体物の形状に応じた型紙を仮想的に作成することができる。
【発明の効果】
【００３７】
本発明の仮想型紙作成装置によれば、立体物の３次元データが取得され、取得された立体物の凹凸を特徴付ける特徴点を結ぶ線を展開線として立体物が展開されて２次元の展開画像が作成され、作成された２次元の展開画像が拡大され、拡大された２次元の展開画像と既存の型紙とが合成されるので、立体物の形状に応じた型紙を仮想的に作成することができる。
【発明を実施するための最良の形態】
【００３８】
以下、本発明に係る実施形態を図面に基づいて説明する。図１は、本発明の一実施形態による仮想型紙作成装置のハードウエア構成を示す図である。
【００３９】
図１に示す仮想型紙作成装置は、通常のコンピュータから構成され、入力装置１、ＲＯＭ（リードオンリメモリ）２、ＣＰＵ（中央演算処理装置）３、ＲＡＭ（ランダムアクセスメモリ）４、外部記憶装置５、表示装置６及び記録媒体駆動装置７を備えて構成される。各ブロックは内部のバスに接続され、このバスを介して種々のデータ等が入出力され、ＣＰＵ３の制御の下、種々の処理が実行される。
【００４０】
入力装置１は、キーボード、マウス等から構成され、操作者が種々のデータ及び操作指令等を入力するために使用される。
【００４１】
ＲＯＭ２には、ＢＩＯＳ（Basic Input/Output System）等のシステムプログラム等が記憶されている。外部記憶装置５は、ハードディスクドライブ等から構成され、所定のＯＳ（Operating System）及び後述する仮想型紙作成プログラム等が記憶されている。ＲＡＭ４は、ＣＰＵ３の作業領域等として用いられる。
【００４２】
表示装置６は、液晶表示装置、ＣＲＴ（陰極線管）等から構成され、ＣＰＵ３の制御の基、仮想型紙作成プログラムが実行されることによって仮想的に作成される型紙を表示する。
【００４３】
記録媒体駆動装置７は、ＤＶＤ−ＲＯＭドライブ、ＣＤ−ＲＯＭドライブ、フレキシブルディスクドライブ等から構成される。なお、仮想型紙作成プログラムを、ＤＶＤ−ＲＯＭ、ＣＤ−ＲＯＭ、フレキシブルディスク等のコンピュータ読み取り可能な記録媒体８に記録し、記録媒体駆動装置７により記録媒体８から画像処理プログラムを読み出して外部記憶装置５にインストールして実行するようにしてもよい。また、仮想型紙作成装置が通信装置等を備え、仮想型紙作成プログラムが通信ネットワークを介して接続された他のコンピュータに記憶されている場合、当該コンピュータからネットワークを介して仮想型紙作成プログラムをダウンロードして実行するようにしてもよい。
【００４４】
図２は、仮想型紙作成装置の機能を説明するためのブロック図である。図２に示すように、仮想型紙作成装置は、プログラム実行部１００、記憶部２００及び表示部３００を備えて構成される。プログラム実行部１００は、ＣＰＵ３が仮想型紙作成プログラムを実行することにより実現され、３次元データ取得部１０１、展開画像作成部１０２、平均展開画像作成部１０３、展開画像拡大部１０４、ダーツ処理部１０５及び合成部１０６を備えて構成される。記憶部２００は、ＲＡＭ４等から構成され、ＣＰＵ３が仮想型紙作成プログラムを実行することにより実現され、３次元データ記憶部２０１及び型紙データ記憶部２０２を備えて構成される。
【００４５】
３次元データ記憶部２０１は、仮想３次元空間内において、複数のポリゴンで構成される人体の３次元データを記憶している。３次元データ記憶部２０１は、人体を構成するポリゴンの３次元空間内における各頂点の座標を３次元データとして記憶している。
【００４６】
型紙データ記憶部２０２は、マスターパターンとなる型紙の２次元データを記憶している。型紙データ記憶部２０２は、一着分の衣服を構成する複数の型紙を１セットとして各型紙の外形及び各型紙上のダーツの外形等を表す型紙データを衣服ごとに予め記憶している。例えば、平面状の型紙の外形が２次元平面において頂点及び頂点間を結んだラインによって特定され、これらの頂点情報及びライン情報が型紙データとして記憶されている。なお、本実施の形態では、衣服の型紙は人体に対して左右対称であるため、一着分の型紙データとして半身分の型紙の外形等を表す型紙データを記憶し、例えば、前身頃型紙及び後身頃型紙の各型紙データを記憶している。なお、本実施形態における型紙データ記憶部２０２は、複数種類のデザインの型紙の２次元データを記憶しており、１種類のデザインの型紙につき基準となる１サイズの型紙の２次元データのみを記憶している。すなわち、型紙データ記憶部２０２は、例えば９ＡＲのサイズの型紙を種類毎に記憶しており、この型紙をグレーディングすることによって、ユーザの体型に合わせた型紙の２次元データが作成される。
【００４７】
３次元データ取得部１０１は、３次元データ記憶部２０１に記憶されている人体の３次元データを取得する。
【００４８】
展開画像作成部１０２は、３次元データ取得部１０１によって取得された人体の３次元データにより生成される３次元画像の凹凸を特徴付ける特徴点を結ぶ線を展開線として展開して２次元の展開画像を作成する。なお、展開画像作成部１０２は、人体の３次元画像の右半身を展開した展開画像と、人体の３次元画像の左半身を展開した展開画像とを作成する。
【００４９】
平均展開画像作成部１０３は、展開画像作成部１０２によって作成された人体の右半身の展開画像における特徴点と左半身の展開画像における特徴点との中点を求め、求めた中点を結ぶことで左右の展開画像を平均した平均展開画像を作成する。
【００５０】
展開画像拡大部１０４は、平均展開画像作成部１０３によって作成された平均展開画像を所定比率で拡大する。なお、平均展開画像を拡大する所定比率は、実際の衣服と人体との間のゆとり量に基づいて決定される。
【００５１】
ダーツ処理部１０５は、展開画像拡大部１０４によって拡大された平均展開画像に対してダーツを施す。
【００５２】
合成部１０６は、型紙データ記憶部２０２に記憶されている型紙データを読み出し、読み出された型紙データと、ダーツ処理部１０５によってダーツが施された平均展開画像とを合成する。
【００５３】
表示部３００は、表示装置６等から構成され、ＣＰＵ３が仮想型紙作成プログラムを実行することにより実現され、合成部１０６によって合成された画像を表示する。
【００５４】
なお、本実施形態において、展開画像拡大部１０４は、平均展開画像作成部１０３によって作成された平均展開画像を所定比率で拡大しているが、本発明は特にこれに限定されず、展開画像拡大部１０４は、展開画像作成部１０２によって作成された２次元の展開画像を所定比率で拡大してもよい。この場合、平均展開画像作成部１０３は、展開画像拡大部１０４によって拡大された人体の右半身の展開画像における特徴点と左半身の展開画像における特徴点との中点を求め、求めた中点を結ぶことで左右の展開画像を平均した平均展開画像を作成する。
【００５５】
また、本実施形態において、ダーツ処理部１０５は、展開画像拡大部１０４によって拡大された平均展開画像に対してダーツを施しているが、本発明は特にこれに限定されず、ダーツ処理部１０５は、展開画像作成部１０２によって作成された２次元の展開画像に対してダーツを施してもよく、また、ダーツ処理部１０５は、展開画像拡大部１０４によって拡大された２次元の展開画像に対してダーツを施してもよい。
【００５６】
さらに、本実施形態では、展開画像作成部１０２によって、人体の３次元画像の右半身を展開した展開画像と、人体の３次元画像の左半身を展開した展開画像とが作成され、平均展開画像作成部１０３によって、作成された人体の右半身の展開画像における特徴点と左半身の展開画像における特徴点との中点が求められ、求められた中点を結ぶことで左右の展開画像を平均した平均展開画像が作成されるが、本発明は特にこれに限定されず、展開画像作成部１０２は、人体の３次元画像の右半身及び左半身のうちのいずれか一方を展開した展開画像を作成してもよい。
【００５７】
すなわち、人体の右半身と左半身とでは形状がほぼ同じであるので、右半身及び左半身のうちのいずれか一方のみの展開画像を作成し、作成された展開画像から型紙を作成したとしても、充分な着心地が得られる衣服を作成することができる。
【００５８】
この場合、人体の右半身及び左半身のうちのいずれか一方の展開画像が作成され、作成された展開画像が拡大され、拡大された展開画像と既存の型紙とが合成されるので、人体の形状に応じた型紙を仮想的に作成することができる。また、左右の展開画像を平均した平均展開画像を作成する必要がないため、この処理にかかる時間を短縮することができ、処理速度を向上させることができる。
【００５９】
図３は、図２に示す仮想型紙作成装置による仮想型紙作成処理を説明するためのフローチャートである。なお、以下の説明では、人体の上半身に着用される衣服の型紙の作成方法について説明する。
【００６０】
ステップＳ１において、３次元データ取得部１０１は、３次元データ記憶部２０１に記憶されている人体の３次元画像を取得する。なお、３次元データ取得部１０１は、例えばジャケット等の人体の上半身に着用される衣服の型紙を作成する場合、人体の上半身のみの３次元画像を取得し、例えばスカート等の人体の下半身に着用される衣服の型紙を作成する場合、人体の下半身のみの３次元画像を取得し、例えばワンピース等の人体の上半身から下半身にかけて着用される衣服の型紙を作成する場合、人体の上半身及び下半身の３次元画像を取得する。
【００６１】
ステップＳ２において、展開画像作成部１０２は、人体の凹凸を特徴付ける複数の特徴点を結ぶ線を展開線として、３次元データ取得部１０１によって取得された人体の３次元画像を展開して２次元の展開画像を作成する。本実施形態において、展開画像作成部１０２は、人体の頸付根線から胸囲線までにおいて、人体の凹凸を特徴付ける特徴点を結ぶ線を展開線として人体を展開して２次元の展開画像を作成する。この場合、人体の頸付根線から胸囲線までにおける人体の凹凸を特徴付ける特徴点を結ぶ線を展開線として人体が展開されて２次元の展開画像が作成される。したがって、人体の頸から胸にかけての凹凸に応じて人体が展開される展開画像を作成することができ、この展開画像を用いて型紙が作成されるので、より人体の体型に応じた型紙を作成することができる。
【００６２】
図４は、人体の上半身の３次元画像を展開する展開線について説明するための図であり、図４（ａ）は、人体の上半身の前面側における展開線について説明するための図であり、図４（ｂ）は、人体の上半身の背面側における展開線について説明するための図である。
【００６３】
人体の凹凸を特徴付ける特徴点は、前首点（フロントネックポイント）ＦＮＰ、横首点（ネックポイント）ＮＰ、人体の肩部分の前面における突起した部分である前肩点ＳＰ、重心線とバストラインとの交点である腕下点ＵＡ、前中心線と胸囲線（バストライン）との交点である前中心点Ｄ１、乳頭の中心である乳頭点ＢＰ、人体の前面における腕の付け根近傍の腕付根点Ｄ３、横首点ＮＰと腕付根点Ｄ３とを結ぶ線上で最も凹んだ部分である首腕間点Ｄ２、首腕間点Ｄ２と乳頭点ＢＰとを結ぶ線上で最も凹んだ部分である胸部点Ｄ４、後首点（バックネックポイント）ＢＮＰ、横首点ＮＰと後首点ＢＮＰとを結ぶ頸付根線上で最も突起した部分である首間点Ｃ１、後中心線とバストラインとの交点である後中心点Ｄ５、人体の肩部分の背面における突起した部分である後肩点Ｃ３、人体の肩甲骨の上端における突起した部分である肩上端点Ｃ２、肩上端点Ｃ２から肩甲骨に沿って降ろした線とバストラインとの交点である肩下点Ｃ５、及び肩上端点Ｃ２から肩甲骨に沿って降ろした線上の最も突起した部分である肩間点Ｃ４である。
【００６４】
また、展開線は、前首点ＦＮＰと横首点ＮＰと首間点Ｃ１と後首点ＢＮＰとを首の周りに沿って結ぶ頸付根線ＮＬ、前首点ＦＮＰと前中心点Ｄ１とを結ぶ線ＣＦＬ、前中心点Ｄ１と後中心点Ｄ５とを結ぶ胸囲線（バストライン）ＢＬ、後首点ＢＮＰと後中心点Ｄ５とを結ぶ線ＣＢＬ、前肩点ＳＰと腕付根点Ｄ３と腕下点ＵＡと後肩点Ｃ３とを腕の付け根周りに沿って結ぶ線ＡＬ、横首点ＮＰと前肩点ＳＰとを結ぶ線ＦＳＬ、横首点ＮＰと首腕間点Ｄ２と腕付根点Ｄ３とを結ぶ線Ｌ１、首腕間点Ｄ２と乳頭点ＢＰとを結ぶ線Ｌ２、腕付根点Ｄ３と乳頭点ＢＰとを結ぶ線Ｌ３、首間点Ｃ１と肩上端点Ｃ２と後肩点Ｃ３とを結ぶ線ＢＳＬ、及び肩上端点Ｃ２と肩間点Ｃ４と肩下点Ｃ５とを結ぶ線Ｌ４である。
【００６５】
このように、人体の凹凸を特徴付ける特徴点及び人体の凹凸を特徴付ける特徴点を結ぶ展開線を上記のように設定することで、人体の肩形状、肩甲骨位置及び胸の形状に応じて正確に人体を展開した２次元の展開画像を作成することができ、この展開画像を用いて型紙が作成されるので、特に、人体の肩形状、肩甲骨位置及び胸の形状に起因するといわれている着心地をよくすることができる。
【００６６】
図５は、各特徴点を結ぶ展開線で３次元画像を展開した２次元展開画像の一例を示す図であり、図５（ａ）は、３次元画像を展開した２次元展開画像の一例を示す図であり、図５（ｂ）は、２次元展開画像における特徴点と展開線とを示す図である。なお、図５（ａ）及び図５（ｂ）では、人体の右半身の２次元展開画像を示している。
【００６７】
図５（ａ）に示すように、各特徴点を結ぶ展開線で人体の３次元画像を展開した場合、複数の領域（本実施形態では７つの領域）に分割される。そして、図５（ｂ）に示すように、特徴点及び展開線は、複数の領域において共有している。図５（ｂ）の丸点は、図４（ａ）及び図４（ｂ）における各特徴点を表し、四角点は、図４（ａ）及び図４（ｂ）における各特徴点を複写移動した点を表す。例えば、点ＮＰと点ＮＰ’と点ＮＰ”とは、同一の特徴点であり、点Ｄ２と点Ｄ２’と点Ｄ２”とは同一の特徴点である。
【００６８】
なお、本実施形態における展開画像作成部１０２は、右半身の２次元展開画像と左半身の２次元展開画像とを作成する。右半身の２次元展開画像と左半身の２次元展開画像とは同時に作成してもよく、また、右半身の２次元展開画像を作成した後、左半身の２次元展開画像を作成してもよく、さらに、左半身の２次元展開画像を作成した後、右半身の２次元展開画像を作成してもよい。
【００６９】
図３に戻って、ステップＳ３において、平均展開画像作成部１０３は、展開画像作成部１０２によって作成された人体の右半身の２次元展開画像と左半身の２次元展開画像を左右反転させた画像とを重ね合わせた際の２つの２次元展開画像の同一の特徴点の中点を求め、求めた中点を結ぶことで左右の展開画像を平均した平均展開画像を作成する。
【００７０】
図６は、人体の右半身の２次元展開画像と左半身の２次元展開画像を左右反転させた画像とを重ね合わせた図である。図６では、人体の右半身の２次元展開画像ＲＧを実線で示し、人体の左半身の２次元展開画像を左右反転させた画像ＬＧを破線で示している。個人差はあるものの人体の右半身と左半身とでは必ずしも一致するとは限らず、図６に示すように、人体の右半身の２次元展開画像ＲＧと左半身の２次元展開画像を左右反転させた画像ＬＧとを重ね合わせた場合、ずれが生じる可能性がある。
【００７１】
そこで、平均展開画像作成部１０３は、人体の右半身の２次元展開画像ＲＧにおける特徴点と、左半身の２次元展開画像を左右反転させた画像ＬＧにおける特徴点との中点を求め、求めた中点を結ぶことによって左右の２次元展開画像を平均した平均展開画像を作成する。
【００７２】
図７は、左右の２次元展開画像を平均した平均展開画像を示す図である。図７に示すように、人体の右半身の展開画像における特徴点と左半身の展開画像における特徴点との中点が求められ、求められた中点を結ぶことで左右の２次元展開画像を平均化した平均展開画像ＨＧが作成されるので、左右で体型が異なる人体の型紙をバランスよく作成することができ、着用者の体型に応じた型紙を作成することができる。
【００７３】
図３に戻って、ステップＳ４において、展開画像拡大部１０４は、平均展開画像作成部１０３によって作成された平均展開画像をゆとり量の分だけ拡大する。ゆとり量は、衣服と人体との間に隙間を設けるために拡大する分量のことであり、本実施形態では着心地を考慮して例えば４ｃｍに設定されている。
【００７４】
図８は、ゆとり量を設ける際に拡大する配分位置を説明するための図であり、図９は、平均展開画像においてゆとり量を設ける際に拡大する配分位置と配分量とを示す図である。なお、図８は人体を胸囲線ＢＬに沿って切断した断面図であり、矢印Ｙ１の方向が人体の前面である。平均展開画像ＨＧは人体の３次元画像を展開したものであるので、この平均展開画像ＨＧから型紙を作成すると、人体に密着した衣服となってしまう。そのため、平均展開画像ＨＧを拡大してゆとり量を設けることによって着心地のよい衣服の型紙を作成する。このゆとり量は、図８に示す直線Ｋ１〜Ｋ１２をそれぞれ所定の大きさで拡大することで設けられる。本実施形態では、図９に示すように、平均展開画像ＨＧにおける所定の位置を所定の間隔だけ拡大させ、全体としては横方向に４ｃｍ拡大する。
【００７５】
図３に戻って、ステップＳ５において、ダーツ処理部１０５は、展開画像拡大部１０４によって拡大された平均展開画像に対してダーツを施す。
【００７６】
図１０は、ダーツが施された平均展開画像と、既存の型紙を表す型紙画像とを重ね合わせた図である。図１０において、ダーツが施された平均展開画像ＨＧを実線で示し、既存の型紙画像ＫＧを破線で示す。
【００７７】
図１０に示すように、ダーツ処理部１０５は、前身頃型紙ＦＫに対して前肩ダーツＦＤを形成するとともに、後身頃型紙ＢＫに対して後肩ダーツＢＤを形成する。このように、拡大された平均展開画像ＨＧに対してダーツが施されるので、より人体の体型に応じた型紙を作成することができる。
【００７８】
図３に戻って、ステップＳ７において、合成部１０６は、型紙データ記憶部２０２に記憶されているマスターパターンの型紙データを読み出し、読み出された型紙データと、ダーツ処理部１０５によってダーツが施された平均展開画像とを合成する。具体的に合成部１０６は、型紙データ記憶部２０２に記憶されているマスターパターンの型紙データを読み出し、読み出された型紙データのバストラインＢＬよりも下の型紙画像と、ダーツ処理部１０５によってダーツが施されたバストラインＢＬよりも上の２次元展開画像とを接合し、脇部分を合わせ、ダーツの調整を行い、襟ぐり部分を合わせ、身幅を調整し、胸部分のダーツを調整する。なお、この際に、合成部１０６は、読み出された型紙データを人体の体型に応じてグレーディングする。
【００７９】
図１１は、完成した型紙の一例を示す図である。図１１において、人体を展開して作成された型紙を実線で示し、マスターパターンの型紙を破線で示している。図１１に示すように、人体を展開することによって作成された型紙ＪＫと、マスターパターン（既存）の型紙ＭＫとを比較すると、特に肩部分や胸部分が人体の形状に応じて変形されていることがわかる。
【００８０】
図３に戻って、ステップＳ８において、表示部３００は、人体を展開することによって作成された型紙と、予め記憶されているマスターパターンの型紙とを合成した型紙（図１１における型紙ＪＫ）を表示する。
【００８１】
このように、立体物である人体の３次元データが取得され、取得された人体の凹凸を特徴付ける特徴点を結ぶ線を展開線として立体物が展開されて２次元の展開画像が作成され、作成された２次元の展開画像が拡大され、拡大された２次元の展開画像と既存の型紙とが合成されるので、立体物の形状に応じた型紙を仮想的に作成することができる。
【００８２】
なお、本実施形態では、人体の左半身の２次元展開画像と右半身の２次元展開画像とが作成され、作成された人体の右半身の２次元展開画像における特徴点と左半身の２次元展開画像における特徴点との中点が求められ、求められた中点を結ぶことで左右の展開画像を平均した平均展開画像が作成され、作成された平均展開画像が拡大され、拡大された平均展開画像にダーツが施され、ダーツが施された平均展開画像と予め記憶されているマスターパターンの型紙とが合成されるが、本発明は特にこれに限定されず、作成された平均展開画像にダーツを施し、ダーツが施された平均展開画像を拡大し、拡大された平均展開画像と予め記憶されているマスターパターンの型紙とを合成してもよい。
【００８３】
また、人体の左半身の２次元展開画像と右半身の２次元展開画像とを作成し、作成された人体の右半身の展開画像と左半身の２次元展開画像とにダーツを施し、ダーツが施された左右の２次元展開画像を平均した平均展開画像を作成し、作成された平均展開画像を拡大し、拡大された平均展開画像と予め記憶されているマスターパターンの型紙とを合成してもよい。
【００８４】
また、人体の左半身の２次元展開画像と右半身の２次元展開画像とを作成し、作成された人体の右半身の展開画像と左半身の２次元展開画像とにダーツを施し、ダーツが施された左右の２次元展開画像を拡大し、拡大された左右の２次元展開画像を平均した平均展開画像を作成し、作成された平均展開画像と予め記憶されているマスターパターンの型紙とを合成してもよい。
【００８５】
さらに、人体の左半身の２次元展開画像と右半身の２次元展開画像とを作成し、作成された人体の右半身の展開画像と左半身の２次元展開画像とを拡大し、拡大された左右の２次元展開画像を平均した平均展開画像を作成し、作成された平均展開画像にダーツを施し、ダーツが施された平均展開画像と予め記憶されているマスターパターンの型紙とを合成してもよい。
【００８６】
さらにまた、人体の左半身の２次元展開画像と右半身の２次元展開画像とを作成し、作成された人体の右半身の展開画像と左半身の２次元展開画像とを拡大し、拡大された左右の２次元展開画像にダーツを施し、ダーツが施された左右の２次元展開画像を平均した平均展開画像を作成し、作成された平均展開画像にダーツを施し、ダーツが施された平均展開画像と予め記憶されているマスターパターンの型紙とを合成してもよい。
【００８７】
次に、人体の下半身の３次元画像を展開し、展開された２次元展開画像から型紙を作成する場合について説明する。
【００８８】
展開画像作成部１０２は、人体の胴囲線から、人体の側面の大腿部分における最も突起した点を通る線までにおいて、人体の凹凸を特徴付ける特徴点を結ぶ線を展開線として人体を展開して２次元の展開画像を作成する。この場合、人体の胴囲線から、人体の側面の大腿部分における最も突起した点を通る線までにおける人体の凹凸を特徴付ける特徴点を結ぶ線を展開線として人体が展開されて２次元の展開画像が作成される。したがって、人体の胴から大腿にかけての凹凸に応じて人体が展開される展開画像を作成することができ、この展開画像を用いて型紙が作成されるので、より人体の体型に応じた型紙を作成することができる。
【００８９】
図１２は、人体の下半身の３次元画像を展開する特徴点及び展開線について説明するための図であり、図１２（ａ）は、人体の下半身の背面側における特徴点及び展開線について説明するための図であり、図１２（ｂ）は、人体の下半身の側面側における特徴点及び展開線について説明するための図であり、図１２（ｃ）は、人体の下半身の前面側における特徴点及び展開線について説明するための図である。
【００９０】
図１２に示すように、人体の下半身の３次元画像を展開する場合、人体の前面において最も突起した前突起点Ｃ１、人体の背面において最も突起した後突起点Ｃ２及び人体の側面において最も突起した横突起点Ｃ３を設定し、各点Ｃ１，Ｃ２，Ｃ３を通る第１〜第３基準水平線ＵＬ１，ＵＬ２，ＵＬ３を設定する。そして、膝位置に基準水平線ＵＬ４を設定し、任意の位置に胴囲線（ウエストライン）ＵＬ５を設定し、側面における中点Ｃ４を通る基準垂直線ＵＬ６を設定する。前中心線における胴囲線ＵＬ５と第３基準水平線ＵＬ３とを通る線ＵＬ７及び後中心線における胴囲線ＵＬ５と第３基準水平線ＵＬ３とを通る線ＵＬ８を設定する。線ＵＬ７から基準垂直線ＵＬ６までの面において、突起した点Ｃ５，Ｃ６と基準垂直線ＵＬ６上で胴囲線ＵＬ５と第１基準水平線ＵＬ１との中点Ｃ７を通る線ＵＬ９を設定し、基準垂直線ＵＬ６から線ＵＬ８までの面において、突起した点Ｃ２，Ｃ８と基準垂直線ＵＬ６上で胴囲線ＵＬ５と第１基準水平線ＵＬ１との中点Ｃ７を通る線ＵＬ１０を設定する。
【００９１】
すなわち、人体の凹凸を特徴付ける特徴点は、人体の前面における最も突起した前突起点Ｃ１、人体の背面における最も突起した後突起点Ｃ２、及び人体の側面における最も突起した横突起点Ｃ３である。人体の凹凸を特徴付ける特徴点を結ぶ展開線は、前突起点Ｃ１を通り、人体の周りを通る第１基準水平線ＵＬ１、後突起点Ｃ２を通り、人体の周りを通る第２基準水平線ＵＬ２、横突起点Ｃ３を通り、人体の周りを通る第３基準水平線ＵＬ３、人体の胴囲線ＵＬ５、人体の前中心線における胴囲線ＵＬ５から第３基準水平線ＵＬ３までの前線ＵＬ７、人体の後中心線における胴囲線ＵＬ５から第３基準水平線ＵＬ３までの後線ＵＬ８、人体の側面の中点Ｃ７を通る基準垂直線における胴囲線ＵＬ５から第３基準水平線ＵＬ３までの横線ＵＬ６、第１基準水平線ＵＬ１と第２基準水平線ＵＬ２と第３基準水平線ＵＬ３とを通り、基準垂直線における胴囲線ＵＬ５から第１基準水平線ＵＬ１までの中点Ｃ７と、前線ＵＬ７から横線ＵＬ６までの突起した点Ｃ５，Ｃ６とを結ぶ線、及び第１基準水平線ＵＬ１と第２基準水平線ＵＬ２と第３基準水平線ＵＬ３とを通り、基準垂直線における胴囲線ＵＬ５から第１基準水平線ＵＬ１までの中点Ｃ７と、後線ＵＬ８から横線ＵＬ６までの突起した点Ｃ２，Ｃ８とを結ぶ線である。
【００９２】
展開画像作成部１０２は、基準水平線ＵＬ１，ＵＬ２，ＵＬ３、胴囲線ＵＬ５、基準垂直線ＵＬ６及び線ＵＬ７，８，９，１０を展開線として人体の３次元画像を展開する。
【００９３】
このように、人体の凹凸を特徴付ける特徴点及び人体の凹凸を特徴付ける特徴点を結ぶ展開線を上記のように設定することで、人体の腹部、腰骨、大腿及び臀部の形状に応じて正確に人体を展開した２次元展開画像を作成することができ、この２次元展開画像を用いて型紙が作成されるので、特に、人体の腹部、腰骨、大腿及び臀部の形状に起因するといわれている着心地をよくすることができる。
【００９４】
図１３は、展開線で３次元画像を展開した２次元展開画像を示す図である。人体の下半身の３次元画像を展開線に基づいて展開すると、図１３のように展開される。なお、図１３は、人体の右半身を展開した例である。図１３に示すように、図１２に示す展開線で人体の３次元画像を展開した場合、複数の領域（本実施形態では１２の領域）に分割される。
【００９５】
図１４は、図１２に示す人体の下半身の前面を展開した２次元展開画像と、背面を展開した２次元展開画像とを示す図であり、図１４（ａ）は、図１２に示す人体の下半身の背面を展開した２次元展開画像を示す図であり、図１４（ｂ）は、図１２に示す人体の下半身の前面を展開した２次元展開画像を示す図である。図１２に示す展開線で人体の下半身を展開することによって図１４に示すような複数の面で構成される面データを生成する。
【００９６】
図１５は、人体の左半身の前身頃及び後身頃と右半身の前身頃及び後身頃とを示す図であり、図１５（ａ）は、人体の左半身の前身頃及び後身頃を示す図であり、図１５（ｂ）は、人体の右半身の前身頃及び後身頃を示す図である。
【００９７】
展開画像作成部１０２は、基準水平線ＵＬ２と前中心線とを垂直に設定するとともに、基準水平線ＵＬ２と後中心線とを垂直に設定し、分割された複数の面を、人体の左半身の前身頃及び後身頃と右半身の前身頃及び後身頃とに再構成する。この際、図１５（ａ）に示すように、人体の左半身の前身頃を右側に、人体の左半身の後身頃を左側になるように再構成する。また、図１５（ｂ）に示すように、人体の右半身の前身頃を左右反転させるとともに、右半身の後身頃を左右反転させ、前中心線が右側に後中心線が左側にくるように配置する。
【００９８】
次に、ダーツ処理部１０５は、再構成が行われた左右の２次元展開画像に対して、各線が適切に接合されるようにダーツを施す。
【００９９】
図１６は、人体の左半身の前身頃及び後身頃と、人体の右半身の前身頃及び後身頃とに施されるダーツの一例を示す図であり、図１６（ａ）は、人体の左半身の前身頃及び後身頃に施されるダーツの一例を示す図であり、図１６（ｂ）は、人体の右半身の前身頃及び後身頃に施されるダーツの一例を示す図である。図１６（ａ）に示すように、人体の左半身の前身頃にはダーツＬＤ１，ＬＤ２が施され、人体の左半身の後身頃にはダーツＬＤ３，ＬＤ４，ＬＤ５が施される。同様に、図１６（ｂ）に示すように、人体の右半身の前身頃にはダーツＲＤ１，ＲＤ２，ＲＤ３が施され、人体の右半身の後身頃にはダーツＲＤ４，ＲＤ５，ＲＤ６が施される。
【０１００】
続いて、平均展開画像作成部１０３は、ダーツ処理部１０５によってダーツが施された左半身の２次元展開画像における特徴点と右半身の２次元展開画像における特徴点との中点を求め、求めた中点を結ぶことで左右の展開画像を平均した平均展開画像を作成する。
【０１０１】
図１７は、人体の左半身の２次元展開画像と人体の右半身の２次元展開画像とを重ね合わせた図である。図１７では、人体の右半身の２次元展開画像ＲＵＧを実線で示し、人体の左半身の２次元展開画像ＬＵＧを破線で示している。図１７に示すように、人体の右半身の２次元展開画像ＲＵＧと、人体の左半身の２次元展開画像ＬＵＧとを重ね合わせた場合、ずれが生じていることがわかる。したがって、人体の左半身の前身頃及び後身頃、あるいは人体の右半身の前身頃及び後身頃のいずれかに合わせて型紙を作成すると、出来上がった衣服が人体に合わないものとなってしまう可能性がある。そこで、本実施形態では、左右の２次元展開画像の特徴点の中点を求め、求めた中点を結ぶことによって左右の２次元展開画像を平均した平均展開画像を作成し、バランスの取れた型紙を作成する。
【０１０２】
図１８は、左右の２次元展開画像を平均した平均展開画像を示す図である。図１８に示すように、左右の２次元展開画像を平均化した平均展開画像ＨＵＧを作成することによって、着用者の体型に応じた型紙を作成することができる。
【０１０３】
そして、展開画像拡大部１０４は、平均展開画像作成部１０３によって作成された平均展開画像をゆとり量のぶんだけ拡大する。ゆとり量は、人体との間に隙間を設けるために拡大する分量のことであり、本実施形態では着心地を考慮して例えば４ｃｍに設定されている。
【０１０４】
合成部１０６は、型紙データ記憶部２０２に記憶されているマスターパターンの型紙データを読み出し、２次元展開画像における人体の体型に必要不可欠なダーツをデザインパーツの形状に対応させて移動させ、ダーツを移動させた２次元展開画像と、読み出された型紙データとを合成する。
【０１０５】
図１９は、マスターパターンの型紙データの形状に応じて移動させる２次元展開画像のダーツについて説明するための図である。なお、図１９では、２次元展開画像を破線で示し、移動後のダーツを実線で示している。図１９に示すように、デザインパターンの形状に応じてダーツＤ２を移動させてダーツＤ２’を形成するとともに、ダーツＤ５を移動させてダーツＤ５’を形成し、さらに人体のウエストの脇部分に相当する位置のラインＷをデザインパターンに応じたラインＷ’に修正する。
【０１０６】
図２０は、完成した型紙の一例を示す図である。図２０に示すように、合成部１０６は、人体の下半身を展開した２次元展開画像と、型紙データ記憶部２０２から読み出したマスターパターンの型紙データとを合成する。この際、具体的に合成部１０６は、型紙データ記憶部２０２に記憶されているマスターパターンの型紙データを読み出し、読み出された型紙データの基準水平線ＵＬ２よりも下の型紙画像と、基準水平線ＵＬ２よりも上の２次元展開画像とを接合する。このように、人体の下半身を展開した２次元展開画像と、型紙データ記憶部２０２から読み出したマスターパターンの型紙データとが合成されることによって、仮想的な型紙ＳＫが作成される。
【０１０７】
そして、表示部３００は、人体の下半身を展開することによって作成された型紙と、予め記憶されているマスターパターンの型紙とを合成した型紙（図２０における型紙ＳＫ）を表示する。
【０１０８】
なお、本実施形態では、図３のステップＳ４において、人体と衣服との間のゆとり量を考慮して平均展開画像を拡大しているが、本発明は特にこれに限定されず、例えば、ウエットスーツ等の人体に密着する衣服を作成する場合、平均展開画像を拡大する必要はなく、作成された平均展開画像にダーツ処理を施してもよい。この場合、図３のステップＳ４の処理は行われない。
【０１０９】
また、本実施形態では、平均展開画像作成部１０３によって、人体の右半身の展開画像における特徴点と左半身の展開画像における特徴点との中点を求め、求めた中点を結ぶことで左右の展開画像を平均した平均展開画像を作成しているが、本発明は特にこれに限定されず、３次元データ取得部１０１によって取得された人体の３次元データの右半身と左半身とを平均化して左右対称の人体の３次元データを作成する平均人体画像作成部をさらに備えてもよい。
【０１１０】
すなわち、図３のステップＳ１とステップＳ２との間に、３次元データ取得部１０１によって取得された人体の３次元データの右半身と左半身とを平均化して左右対称の人体の３次元データを作成する処理を行い、ステップＳ２において、作成された人体の右半身及び左半身のうちのいずれか一方の展開画像を作成する。このとき、ステップＳ３における平均展開画像を作成する処理は行われず、ステップＳ４において、作成された人体の右半身及び左半身のうちのいずれか一方の展開画像が拡大され、ステップＳ５以降の処理が行われる。
【０１１１】
人体の３次元データの右半身と左半身とを平均化して左右対称の人体の３次元データを作成する処理は、例えば、人体を左半身と右半身とに分割して重ね合わせ、左半身の人体を構成するポリゴンの各頂点と、右半身の人体を構成するポリゴンの各頂点との中点を求め、求めた中点を頂点とするポリゴンを作成し、左右対称の人体の３次元データを作成する。あるいは、人体の左半身の各部位の周囲長と、右半身の各部位の周囲長と平均し、平均した周囲長に応じた左右対称の人体の３次元データを作成してもよい。
【０１１２】
この場合、取得された人体の３次元データの右半身と左半身とを平均化して左右対称の人体の３次元データが作成され、作成された人体の右半身及び左半身のうちのいずれか一方の展開画像が作成され、作成された展開画像が拡大され、拡大された展開画像と既存の型紙とが合成されるので、上記と同様に人体の形状に応じた型紙を仮想的に作成することができる。また、人体の３次元データの右半身と左半身とを平均化して左右対称の人体の３次元データを基に２次元の展開画像が作成されるので、左右で体型が異なる人体の型紙をバランスよく作成することができる。さらに、本実施形態のように、人体の右半身の展開画像と左半身の展開画像とを作成し、人体の右半身の展開画像と左半身の展開画像とを平均した平均展開画像を作成するよりも、左右対称の人体の３次元データを作成し、その半身を展開した展開画像を作成した方が、処理にかかる時間を短縮することができる。
【図面の簡単な説明】
【０１１３】
【図１】本発明の一実施形態による仮想型紙作成装置のハードウエア構成を示す図である。
【図２】仮想型紙作成装置の機能を説明するためのブロック図である。
【図３】図２に示す仮想型紙作成装置による仮想型紙作成処理を説明するためのフローチャートである。
【図４】人体の上半身の３次元画像を展開する展開線について説明するための図である。
【図５】各特徴点を結ぶ展開線で３次元画像を展開した２次元展開画像の一例を示す図である。
【図６】人体の右半身の２次元展開画像と左半身の２次元展開画像を左右反転させた画像とを重ね合わせた図である。
【図７】左右の２次元展開画像を平均した平均展開画像を示す図である。
【図８】ゆとり量を設ける際に拡大する配分位置を説明するための図である。
【図９】平均展開画像においてゆとり量を設ける際に拡大する配分位置と配分量とを示す図である。
【図１０】ダーツが施された平均展開画像と、既存の型紙を表す型紙画像とを重ね合わせた図である。
【図１１】完成した型紙の一例を示す図である。
【図１２】人体の下半身の３次元画像を展開する特徴点及び展開線について説明するための図である。
【図１３】展開線で３次元画像を展開した２次元展開画像を示す図である。
【図１４】図１２に示す人体の下半身の前面を展開した２次元展開画像と、背面を展開した２次元展開画像とを示す図である。
【図１５】人体の左半身の前身頃及び後身頃と右半身の前身頃及び後身頃とを示す図である。
【図１６】人体の左半身の前身頃及び後身頃と、人体の右半身の前身頃及び後身頃とに施されるダーツの一例を示す図である。
【図１７】人体の左半身の２次元展開画像と人体の右半身の２次元展開画像とを重ね合わせた図である。
【図１８】左右の２次元展開画像を平均した平均展開画像を示す図である。
【図１９】マスターパターンの型紙データの形状に応じて移動させる２次元展開画像のダーツについて説明するための図である。
【図２０】完成した型紙の一例を示す図である。
【符号の説明】
【０１１４】
１    入力装置
２    ＲＯＭ
３    ＣＰＵ
４    ＲＡＭ
５    外部記憶装置
６    表示装置
７    記録媒体駆動装置
８    記録媒体
１００    プログラム実行部
１０１    ３次元データ取得部
１０２    展開画像作成部
１０３    平均展開画像作成部
１０４    展開画像拡大部
１０５    ダーツ処理部
１０６    合成部
２００    記憶部
２０１    ３次元データ記憶部
２０２    型紙データ記憶部
３００    表示部
【図１】
2005154956.tif 000004
【図２】
2005154956.tif 000005
【図３】
2005154956.tif 000006
【図４】
2005154956.tif 000007
【図５】
2005154956.tif 000008
【図６】
2005154956.tif 000009
【図７】
2005154956.tif 000010
【図８】
2005154956.tif 000011
【図９】
2005154956.tif 000012
【図１０】
2005154956.tif 000013
【図１１】
2005154956.tif 000014
【図１２】
2005154956.tif 000015
【図１３】
2005154956.tif 000016
【図１４】
2005154956.tif 000017
【図１５】
2005154956.tif 000018
【図１６】
2005154956.tif 000019
【図１７】
2005154956.tif 000020
【図１８】
2005154956.tif 000021
【図１９】
2005154956.tif 000022
【図２０】
2005154956.tif 000023